(57)【要約】【課題】  手術開始前に被覆フィルムを準備したり開窓部に被覆固定する必要がなく、手術前の準備を円滑に行うことができるサージカルドレープを得る。【解決手段】  シート状に形成した再利用可能なドレープ本体1に、術野を露出可能とする開口部2を設けたサージカルドレープにおいて、この開口部2を被覆可能とする被覆布4をドレープ本体1に固定配置するとともに、この被覆布4に、上記開口部2よりも小さな開窓部5を設け、この開窓部5を被覆可能とする被覆フィルム7を被覆布4に離脱可能に貼付する。【選択図】図１
0003191388.tif 000002
【実用新案登録請求の範囲】
【請求項１】
シート状に形成した再利用可能なドレープ本体に、術野を露出可能とする開口部を設けたサージカルドレープにおいて、この開口部を被覆可能とする被覆布をドレープ本体に固定配置するとともに、この被覆布に、上記開口部よりも小さな開窓部を設け、この開窓部を被覆可能とする被覆フィルムを被覆布に離脱可能に貼付したことを特徴とするサージカルドレープ。
【請求項２】
被覆フィルムは、一面に粘着剤を施し、この一面側を被覆布の表面に貼付したことを特徴とする請求項１のサージカルドレープ。
【請求項３】
被覆布は、防水素材とメッシュとにより形成した二層構造又は三層構造としたことを特徴とする請求項１のサージカルドレープ。
【請求項４】
被覆フィルムは、透明であることを特徴とする請求項１のサージカルドレープ。
【考案の詳細な説明】
【技術分野】
【０００１】
本考案は、手術の際に患者に被覆するサージカルドレープに関するものである。
【背景技術】
【０００２】
サージカルドレープは手術の際に患者の患部外周を被覆するものであって、術野の清潔の保持、患者の血液や体液の飛散による感染防止等のために幅広く使用されている。更に、サージカルドレープの中央部には術野を露出可能とする開口部が設けられており、この開口部内において術野の清潔を保ちながら手術を行うものである。このようなサージカルドレープの中でも、特許文献１に記載のサージカルドレープは、上記開口部に術野を露出可能とする開窓部を設けた被覆布を被覆配置している。
【０００３】
また、必要に応じて被覆布に設けた開窓部に透明な被覆フィルムを被覆固定し、この被覆フィルム上から術野にメスを入れる場合がある。このような場合には、手術開始直前に被覆フィルムを開窓部に被覆固定し、その後手術を開始することが一般的であった。
【先行技術文献】
【特許文献】
【０００４】
【特許文献１】実用新案登録第３１８１５２３号公報
【考案の開示】
【考案が解決しようとする課題】
【０００５】
しかしながら、上記の如く手術開始前に被覆フィルムを開窓部に被覆固定する場合には、サージカルドレープとは別に予め滅菌済みの被覆フィルムを準備しなければならないとともに、この被覆フィルムを開窓部に被覆固定する作業を行わなければならないため、手術前の準備に手間がかかるものとなっていた。
【０００６】
そこで、本考案は上述の如き課題を解決しようとするものであって、手術開始前に被覆フィルムを準備したり開窓部に被覆固定する必要がなく、手術前の準備を円滑に行うことができるサージカルドレープを得ようとするものである。
【課題を解決するための手段】
【０００７】
本考案は上述の如き課題を解決するため、シート状に形成した再利用可能なドレープ本体に、術野を露出可能とする開口部を設けたサージカルドレープにおいて、この開口部を被覆可能とする被覆布をドレープ本体に固定配置するとともに、この被覆布に、上記開口部よりも小さな開窓部を設け、この開窓部を被覆可能とする被覆フィルムを被覆布に離脱可能に貼付したものである。
【０００８】
また、被覆フィルムは、一面に粘着剤を施し、この一面側を被覆布の表面に貼付したものであっても良い
【０００９】
また、被覆布は、防水素材とメッシュとにより形成した二層構造又は三層構造としたものであっても良い。
【００１０】
また、被覆フィルムは、透明なものであっても良い。
【考案の効果】
【００１１】
本考案は上述の如く、被覆布に、上記開口部よりも小さな開窓部を設け、この開窓部を被覆可能とする被覆フィルムを被覆布に離脱可能に貼付したものであるから、手術開始前に予め被覆フィルムを準備したり、開窓部に被覆フィルムを被覆固定する作業を行う必要がなく、手術を迅速且つ円滑に進めることができる。
【図面の簡単な説明】
【００１２】
【図１】本考案の実施例１を示す平面図。
【図２】図１のＡ−Ａ線断面図。
【図３】実施例２を示す平面図。
【実施例１】
【００１３】
本考案の実施例１を以下に説明すると、図１に示す如く(1)は、シート状に形成した眼科手術用サージカルドレープのドレープ本体であって、再利用可能なものである。
【００１４】
また、このドレープ本体(1)の中央部には、術野を露出可能とする略正方形の開口部(2)を設けている。またこの開口部(2)の下方には、開口部(2)から流出した洗浄液、血液、体液等を受け止めることができるポケット(3)を設けており、洗浄液、血液、体液等の床面への流出を抑えて感染を防止可能なものとしている。
【００１５】
また図１に示す如く、上記開口部(2)には略正方形の被覆布(4)を被覆固定している。この被覆布(4)は、開口部(2)を被覆可能とする大きさに形成したものであって、その中央には楕円形の開窓部(5)を開口形成している。この開窓部(5)は、図１に示す如く、ドレープ本体(1)に形成した開口部(2)内に収まるよう開口部(2)よりも小さく形成している。
【００１６】
また上記被覆布(4)は、防水素材にて形成した防水布をメッシュで挟み込んだ三層構造としている。尚、他の実施例ではこれに限らず、防水素材であるシリコンとメッシュとにより形成した二層構造とすることも可能であり、その他再利用可能なシート状に形成したものであれば特にその構造を限定されるものではない。上記の如き素材にて被覆布(4)を形成することにより、被覆布(4)の開窓部(5)の端縁(6)から糸くずやほこりが生じにくいものとなるため、術野の清潔を良好に保つことができる。
【００１７】
また、開口部(2)に被覆布(4)を固定配置した際に、この被覆布(4)に開口形成した開窓部(5)が開口部(2)の開口範囲内に位置するよう、開窓部(5)の大きさ及び形成位置を予め調整している。そのため、ドレープ本体(1)に被覆布(4)を固定配置した際に、被覆布(4)の開窓部(5)からドレープ本体(1)が露出することなく開窓部(5)全体を開口状態とすることができる。
【００１８】
また、上記被覆布(4)の上面には、図２に示す如く被覆フィルム(7)を被覆配置している。この被覆フィルム(7)は透明であって、図１に示す如く被覆布(4)の開窓部(5)全体を被覆可能な大きさに形成している。そしてこの被覆フィルム(7)の一面(10)には、図２に示す如く粘着剤(8)を全面に施しており、この粘着剤(8)を施した一面(10)側を被覆布(4)の表面に密着配置することにより、被覆フィルム(7)を被覆布(4)に離脱可能に固定配置している。尚、上記被覆フィルム(7)はポリウレタン製であって、使い捨て専用である。
【００１９】
また、上記の如く被覆フィルム(7)の一面(10)には粘着剤(8)が施されていることから、図２に示す如く開窓部(5)内に位置する被覆フィルム(7)の裏面部分に剥離紙(11)を密着し、この部分の粘着力を確保している。そして、上記の如くドレープ本体(1)、被覆布(4)、被覆フィルム(7)、及び剥離紙(11)を用いて本実施例のサージカルドレープを形成した後、高圧滅菌処理を行うことにより手術での使用が可能となる。
【００２０】
そして、手術開始時に剥離紙(11)を被覆フィルム(7)からはがし、この被覆フィルム(7)の裏面側を患部に貼り付ける。これにより、患部を被覆フィルム(7)によって固定され、患部手術の際の作業を容易なものとすることができる。また、このように開窓部(5)に被覆フィルム(7)を被覆配置することにより、患部と外気との接触を極力少なくすることができるため、感染リスクを減らすことが可能となり清潔を良好に維持することができる。
【００２１】
また手術後は、被覆フィルム(7)を被覆布(4)から引き剥がし、衛生上の観点から一回の使用で廃棄する。一方、被覆布(4)及びドレープ本体(1)は、再び高圧滅菌処理を行うことによりリユースが可能となる。
【実施例２】
【００２２】
また上記実施例１は眼科手術用のサージカルドレープであるが、本実施例２は図３に示す如く、開頭手術用のサージカルドレープである。この開頭手術用のサージカルドレープも上記実施例１のサージカルドレープと同様に、ドレープ本体(1)の開口部(2)に被覆布(4)を被覆配置するとともに、この被覆布(4)に設けた開窓部(5)に被覆フィルム(7)を被覆配置したものであって、上記実施例１のサージカルドレープと同様の構成としている。
【符号の説明】
【００２３】
１    ドレープ本体
２    開口部
４    被覆布
５    開窓部
７    被覆フィルム
８    粘着剤
１０  一面
【図１】
0003191388.tif 000003
【図２】
0003191388.tif 000004
【図３】
0003191388.tif 000005